【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
複数の映像から、少なくとも１つの映像を第１の映像として選択する第１の映像選択手段と、
前記第１の映像の特徴量を取得する特徴量取得手段と、
複数の映像の中から映像を選択するための選択条件を複数含む選択条件セットを複数保持する保持手段に保持された前記複数の選択条件セットの中から、前記取得された特徴量に基づいて、選択条件セットを選択する選択条件選択手段と、
前記選択された選択条件セットに含まれる選択条件に基づき、前記複数の映像から第２の映像を選択する第２の映像選択手段と、
前記選択された第１及び第２の映像を含んで構成される１つの映像を生成する映像生成手段と
を有することを特徴とする映像生成装置。
【請求項２】
前記複数の映像の中から映像を選択するための複数の選択条件を含む複数の選択条件セットには、複数の映像を接続して構成される１つの映像の、各々の部分映像に関して規定される複数の選択条件を含むことを特徴とする請求項１に記載の映像生成装置。
【請求項３】
前記複数の映像の中から映像を選択するための複数の選択条件を含む複数の選択条件セットには、さらに、複数の映像を接続して構成される１つの映像の、各々の部分映像に関して規定される映像効果に関する情報を含むことを特徴とする請求項２に記載の映像生成装置。
【請求項４】
前記映像生成手段は、前記選択された第１及び第２の映像と、前記選択された選択条件セットに含まれる前記映像効果に関する情報に基づいて、前記第１及び第２の映像を含んで構成される１つの映像を生成することを特徴とする請求項３に記載の映像生成装置。
【請求項５】
前記選択条件選択手段は、前記選択条件セットに含まれる複数の選択条件の各々を満たす映像が、すべて前記複数の映像に存在する前記選択条件セットを選択すること、
を特徴とする請求項２に記載の映像生成装置。
【請求項６】
前記複数の映像の中から映像を選択するための複数の選択条件を含む複数の選択条件セットとは、前記選択条件が複数並べられた構造を有する１以上のテーブルから構成され、
前記選択条件列選択手段は、前記テーブルの予め定めた位置に格納された選択条件に、前記選択された特徴量を含む前記選択条件セットを選択することを特徴とする請求項１記載の映像生成装置。
【請求項７】
前記選択条件選択手段は、前記取得された特徴量に適合する選択条件を含む選択条件セットを選択することを特徴とする請求項１に記載の映像生成装置。
【請求項８】
前記選択条件選択手段は、前記取得された特徴量に適合する選択条件を含む選択条件セットが複数存在する場合、ユーザが指定した前記選択条件セットを選択することを特徴とする請求項１に記載の映像生成装置。
【請求項９】
前記選択条件選択手段は、選択可能な前記選択条件セットが複数存在する場合、前記選択条件セットに予め付与された優先度に基づき、前記優先度が高い前記選択条件セットを選択することを特徴とする請求項１に記載の映像生成装置。
【請求項１０】
前記選択条件選択手段は、前記選択条件セットに含まれる選択履歴、テーマ情報、映像の時間的な配置位置に基づき前記優先度を設定することを特徴とする請求項９に記載の映像生成装置。
【請求項１１】
前記第２の映像選択手段は、ネットワークを介し、外部装置に保持された映像を第２の映像として選択することを特徴とする請求項１に記載の映像生成装置。
【請求項１２】
前記第２の映像選択手段は、前記選択条件に合うように、前記映像に映像加工を施し、前記第２の映像として選択することを特徴とする請求項１に記載の映像生成装置。
【請求項１３】
前記第１の映像選択手段は、ユーザが選択した映像を前記第１の映像として選択することを特徴とする請求項１に記載の映像生成装置。
【請求項１４】
前記第１の映像選択手段は、ユーザが指定した特徴量を持つ映像を前記第１の映像として選択することを特徴とする請求項１に記載の映像生成装置。
【請求項１５】
前記映像生成手段は、ユーザが指定した順に、前記第１の映像が並ぶように映像を生成することを特徴とする請求項１に記載の映像生成装置。
【請求項１６】
前記映像生成手段は、撮影日時順に、前記第１の映像が並ぶように映像を生成すること、
を特徴とする請求項１に記載の映像生成装置。
【請求項１７】
表示手段を更に有し、
該表示手段は、前記第１の映像選択手段で選択された映像を表示するユーザ選択映像表示エリアと、前記映像生成手段によって生成された映像列を複数表示する映像列選択エリアを有することを特徴とする請求項１に記載の映像生成装置。
【請求項１８】
第１の映像選択手段が複数の映像から、少なくとも１つの映像を第１の映像として選択する第１の映像選択工程と、
特徴量取得手段が前記第１の映像の特徴量を取得する特徴量取得工程と、
複数の映像の中から映像を選択するための選択条件を複数並べた選択条件セットを複数保持する保持手段に保持された前記複数の選択条件セットの中から、前記取得された特徴量に基づいて、選択条件セットを選択条件選択手段が選択する選択条件セット選択工程と、
前記選択された選択条件セットに含まれる選択条件に基づき、前記複数の映像から第２の映像選択手段が第２の映像を選択する第２の映像選択工程と、
映像生成手段が前記選択された第１及び第２の映像を含んで構成される１つの映像を生成する映像生成工程と
を有することを特徴とする映像生成装置の制御方法。
【請求項１９】
請求項１８に記載の映像生成装置の制御方法の各工程をコンピュータに実行させるためのプログラム。
【請求項２０】
請求項１７に記載のプログラムを格納したコンピュータ読み取り可能な記憶媒体。
【請求項２１】
複数の映像に対応する画像を表示する第１の表示エリアと、
前記第１の表示エリアで表示された画像から選択された映像に対応する該映像を含む複数の映像の配置である映像列を複数生成する映像列生成手段と、
前記第１の表示エリアで表示された画像から選択された複数の前記映像各々に対応する前記生成手段で生成された複数の映像列に対応する画像を表示する第２の表示エリアと、
を有することを特徴とする映像生成装置。
【請求項２２】
前記第１の表示エリアに表示された複数の映像から、ユーザによって選択された複数の映像を表示する第３の表示エリアを更に有することを特徴とする請求項２１に記載の映像生成装置。
【請求項２３】
前記第２の表示エリアに表示された複数の映像にそれぞれ対応する複数の映像列からそれぞれ選択された映像列を表示する第４の表示エリアを更に有することを特徴とする請求項２２に記載の映像生成装置。
【請求項２４】
前記第３の表示エリアに表示された前記映像を入れ替える入れ替え手段を更に有し、
前記入れ替え手段によって前記映像が入れ替わった場合、該映像に対応する前記第３の表示エリアと、前記第４の表示エリアに表示される映像列を入れ替えて表示することを特徴とする請求項２３に記載の映像生成装置。
【手続補正２】
【補正対象書類名】明細書
【補正対象項目名】０００５
【補正方法】変更
【補正の内容】
【０００５】
複数の映像から、少なくとも１つの映像を第１の映像として選択する第１の映像選択手段と、前記第１の映像の特徴量を取得する特徴量取得手段と、複数の映像の中から映像を選択するための選択条件を複数含む選択条件セットを複数保持する保持手段に保持された前記複数の選択条件セットの中から、前記取得された特徴量に基づいて、選択条件セットを選択する選択条件選択手段と、前記選択された選択条件セットに含まれる選択条件に基づき、前記複数の映像から第２の映像を選択する第２の映像選択手段と、前記選択された第１及び第２の映像を含んで構成される１つの映像を生成する映像生成手段とを備えることを特徴とする。